(57)【要約】  【課題】  車体とスライドドアの間に可撓管の曲がり部を収容するスペースを設けないで済むようにする。可撓管が車体やスライドドアと接触して騒音や損傷が発生するのを防止する。  【解決手段】  スライドドア10に取り付けられたスライドレール14と、スライダ16と、スライダ16に一端側を支持され、他端側が車体12の所定位置に支持された可撓管18と、可撓管18内を通るフラットケーブル22Aとを備える。スライドレール14は、スライドドア12を閉じる方向の前端側が水平になっていて、後端側がその水平レベルから徐々に上へ変位するように屈曲されている。スライドドア10を開いたときは、スライダ16が車体側の可撓管支持部材20とほぼ同じ高さになって可撓管18が伸びた状態となり、スライドドア10を閉じたときは、スライダ16がスライドレール14によって持ち上げられて可撓管18がスライドドア10内に引き込まれる。【選択図】    図１
2005238952.tif 000002
【特許請求の範囲】
【請求項１】
スライドドアに取り付けられるスライドレールと、このスライドレールにスライド可能に取り付けられたスライダと、このスライダに一端側を支持され、他端側が車体の所定位置に支持される可撓管と、この可撓管内を通って車体側から前記スライダに渡る配線材とを備えたスライドドア用給電装置において、
前記スライドレールは、スライドドアを閉じる方向の前端側が水平又はほぼ水平になっていて、後端側がその水平レベルから徐々に上へ変位するように屈曲されており、スライドドアを開いたときは、スライダが車体側の可撓管支持部材とほぼ同じ高さになって可撓管が伸びた状態となり、スライドドアを閉じたときは、スライダがスライドレールによって持ち上げられて可撓管がスライドドア内に引き込まれるようになっていることを特徴とするスライドドア用給電装置。
【請求項２】
請求項１記載のスライドドア用給電装置であって、可撓管は偏平な波付き管よりなり、その断面の長径方向がスライドドアの開閉方向に向いていることを特徴とするスライドドア用給電装置。
【請求項３】
請求項２記載のスライドドア用給電装置であって、可撓管内を通る配線材がフラットケーブルよりなり、このフラットケーブルの幅方向が可撓管の長径方向に向いていることを特徴とするスライドドア用給電装置。
【請求項４】
請求項１ないし３のいずれかに記載のスライドドア用給電装置であって、スライドレールに沿ってＵターンボックスが一体に設けられ、このＵターンボックス内に、スライダとスライドドア内の所定位置とをつなぐフラットケーブルが、途中にＵターン部を設けた状態で収容されていることを特徴とするスライドドア用給電装置。
【請求項５】
請求項４記載のスライドドア用給電装置であって、Ｕターンボックス内のフラットケーブルと可撓管内のフラットケーブルとが途中に接続部のない一連続のものであることを特徴とするスライドドア用給電装置。
【請求項６】
請求項１ないし５のいずれかに記載のスライドドア用給電装置であって、車体側の可撓管支持部材がステップの下に設置されていることを特徴とするスライドドア用給電装置。
【発明の詳細な説明】
【技術分野】
【０００１】
本発明は、自動車の車体側からスライドドア内の機器に常時給電や信号伝送を行うためのスライドドア用給電装置に関するものである。
【背景技術】
【０００２】
スライドドアはワンボックスカーやワゴン車等に用いられている。スライドドア内の機器（パワーウィンドモーター、スイッチ、スピーカー等）を動作させるためには、スライドドアの開閉に関係なく、車体側の機器（電源や制御装置等）とスライドドア内の機器とを常時電気的に接続しておく必要がある。スライドドア用給電装置にはこのような常時接続機能が要求される。
【０００３】
従来、この種のスライドドア用給電装置としては、スライドドアにドア開閉方向に直線状スライドレールを取り付け、このスライドレールにスライダを装着し、このスライダと車体側の所定箇所との間に可撓管を渡し、この可撓管内には複数本の丸電線を収容し、前記スライドレール内にはフラットケーブルをＵターンさせた状態で収容し、前記フラットケーブルと丸電線をスライダ上で接続したものが公知である（特許文献１参照）。
【０００４】
【特許文献１】特開平１１−３４２８０７号公報
【発明の開示】
【発明が解決しようとする課題】
【０００５】
従来のスライドドア用給電装置は、スライドドアを開閉するときに、可撓管を、車体側の支持点を中心としてほぼ水平面内で前後に振り回す構造であるため、スライドドアと車体との間に可撓管を振り回せるだけのスペースを確保する必要がある。このスペースが十分でないと、可撓管が車体やドアと接触しやすい。またスライドドアを閉じたときに、可撓管がほぼ水平面内で曲がった状態に保たれるため、自動車の振動により可撓管が上下に共振して、車体やドアと接触しやすい。可撓管が車体やドアと接触すると、騒音や損傷が発生するおそれがある。また可撓管が車内から見えやすいため、見栄えがわるいという難点もある。
【０００６】
本発明の目的は、車体とスライドドアの間に可撓管の曲がり部を収容するスペースを設ける必要がなく、かつ可撓管が車体やスライドドアと接触して騒音や損傷が発生するおそれの少ないスライドドア用給電装置を提供することにある。
【課題を解決するための手段】
【０００７】
この目的を達成するため本発明は、スライドドアに取り付けられるスライドレールと、このスライドレールにスライド可能に取り付けられたスライダと、このスライダに一端側を支持され、他端側が車体の所定位置に支持される可撓管と、この可撓管内を通って車体側から前記スライダに渡る配線材とを備えたスライドドア用給電装置において、前記スライドレールは、スライドドアを閉じる方向の前端側が水平又はほぼ水平になっていて、後端側がその水平レベルから徐々に上へ変位するように屈曲されており、スライドドアを開いたときは、スライダが車体側の可撓管支持部材とほぼ同じ高さになって可撓管が伸びた状態となり、スライドドアを閉じたときは、スライダがスライドレールによって持ち上げられて可撓管がスライドドア内に引き込まれるようになっていることを特徴とするものである。
【０００８】
本発明のスライドドア用給電装置は、可撓管が偏平な波付き管よりなり、その断面の長径方向がスライドドアの開閉方向に向いているものであることが好ましい。
【０００９】
また本発明のスライドドア用給電装置は、可撓管内を通る配線材がフラットケーブルよりなり、このフラットケーブルの幅方向が可撓管の長径方向に向いているものであることが好ましい。
【００１０】
また本発明のスライドドア用給電装置は、スライドレールに沿ってＵターンボックスが一体に設けられ、このＵターンボックス内に、スライダとスライドドア内の所定位置とをつなぐフラットケーブルが、途中にＵターン部を設けた状態で収容されているものであることが好ましい。
【００１１】
また本発明のスライドドア用給電装置は、Ｕターンボックス内のフラットケーブルと可撓管内のフラットケーブルとが途中に接続部のない一連続のものであることが好ましい。
【００１２】
さらに本発明のスライドドア用給電装置は、車体側の可撓管支持部材がステップの下に設置されているものであることが好ましい。
【発明の効果】
【００１３】
本発明によれば、スライドドアを閉じたときに可撓管がスライドドア内に引き込まれるようになっているため、車体とスライドドアの間に可撓管の曲がり部を収容するスペースを設ける必要がなくなる。また可撓管はスライドドアが閉じたときにスライダによって吊り上げられた状態となるため、車体が上下に振動しても共振するおそれがない。このため可撓管が車体やスライドドアと接触して騒音を発生したり、損傷を受けたりすることがなくなる。また車体側の可撓管支持部材をステップの下に設置すれば、車内から可撓管やその支持部材が見えにくくなり、またスライドレールやスライダもドアトリムの裏側に隠れて車内からは見えにくいので、美観が向上するという利点がある。
【発明を実施するための最良の形態】
【００１４】
〔実施形態１〕  図１〜図４は本発明の一実施形態を示す。図において、１０はスライドドア、１０ａはドアトリム、１２は車体（フロア部分）、１４はスライドドア１０の下部に取り付けられたスライドレール、１６はスライドレール１４にスライド可能に取り付けられたスライダ、１８はスライダ１６に一端側を支持された可撓管、２０は車体１２の所定位置に設置されて可撓管１８の他端側を支持する固定支持部材、２２Ａは可撓管１８内を通って車体１２側からスライダ１６に渡るフラットケーブルである。
【００１５】
スライドレール１４は、スライドドア１０を閉じる方向の前端側が水平になっていて、後端側がその水平レベルから徐々に上へ変位するように屈曲されている。このスライドレール１４は、前端側の水平部分がドアトリム１０ａの下端縁とほぼ同じ高さになるように、ドアトリム１０ａの裏側でスライドドア１０に取り付けられている。
【００１６】
固定支持部材２０は、スライドドア１０を開いたときに、スライドレール１４の前端側水平部分とほぼ同じ高さで対向するように車体１２に固定されている。固定支持部材２０とスライダ１６の間の可撓管１８の長さは、スライドドア１０を開いたときに、ほぼ弛みのない状態に伸長するように設定されている（図２（Ｂ）参照）。またスライドレール１４の後端部の高さは、スライドドア１０を閉じたときに、スライダ１６がスライドレール１４によって持ち上げられ、上記長さの可撓管１８がドアトリム１０ａの裏側に引き込まれるように設定されている（図２（Ａ）参照）。固定支持部材１８は、車内から見えないように、ステップ２３の下に設置されている。
【００１７】
可撓管１８は、図３に示すように、偏平な波付き管よりなり、その断面の長径方向がスライドドアの開閉方向を向くように配置されている。このため可撓管１８は上下方向には曲がりやすく、スライドドアの開閉方向には曲がりにくく（剛性が大きく）なっている。可撓管１８内を通るフラットケーブル２２Ａは、その幅方向が可撓管１８の長径方向に向くように収容されている。
【００１８】
スライドレール１４の裏側にはＵターンボックス２４が一体に形成されている。このＵターンボックス２４は、スライダ１６とスライドドア１０内の所定位置に設置されるコネクタ２６とをつなぐフラットケーブル２２Ｂを、途中にＵターン部２２ｕを設けた状態で収容するものである。図示の例ではコネクタ２６はＵターンボックス２４上に設置されているが、Ｕターンボックス２４から離れた位置に設置されていてもよい。
【００１９】
車体１２側からスライダ１６に渡るフラットケーブル２２Ａと、スライダ１６からＵターンボックス２４内を通ってコネクタ２６に至るフラットケーブル２２Ｂは、スライダ１６内で接続してもよいが、スライダ１６を無接続で通過する一連続のものとすることが好ましい。そのためにはフラットケーブルをスライダ１６内で折り曲げて方向転換させればよい。この方がフラットケーブルの接続部を少なくできる分、信頼性が向上し、コストを低減できる利点がある。
【００２０】
フラットケーブル２２Ａの車体１２側の端部にはコネクタ２８が取り付けられ、このコネクタ２８は車体１２内に配索されたワイヤハーネス３０のコネクタ３２に接続される。またフラットケーブル２２Ｂのスライドドア１０側の端部に取り付けられたコネクタ２６には、スライドドア１０内に配索されたワイヤハーネス３４のコネクタ３６が接続される。
【００２１】
このスライドドア用給電装置は、スライドドア１０が閉じているときは、図１、図２（Ａ）及び図４（Ａ）に示すように、スライダ１６がスライドレール１４の後端側にきて固定支持部材２０より高い位置にあるため、可撓管１８がドアトリム１０ａの裏側へ引き込まれた（引き上げられた）状態となっている。この状態からスライドドア１０を開くと、スライドドア１０及びスライドレール１４が図１の矢印Ｈのように車体１２から離れながら車体後方へ移動する。このときスライダ１６は、スライドドア開閉方向の剛性が大きい可撓管１８によって、スライドドア１０が開く方向への移動を規制されるため、移動するスライドレール１４に案内されて、徐々に下降していく。スライドドア１０が車体１２から最も離れると、スライダ１６はスライドレール１４の水平部分に入り、図２（Ｂ）のようにスライドレール１４が固定支持部材２０とほぼ同じ高さになって、可撓管１８がほぼ弛みのない状態にまで伸びる。その後はスライドドア１０が全開になるまで、図２（Ｂ）の状態が保持される。またスライドレール１４がスライドドア１０と共に車体後方へ移動するときは、Ｕターンボックス２４内では、図４に示すようにフラットケーブルのＵターン部２２ｕがスライダ１６に押されてＵターンボックス２４の前端側へ移動していく。
【００２２】
スライドドア１０が全開の状態から閉じていくときは、上記と逆の動作を経て、図１及び図２（Ａ）の状態に戻り、可撓管１８がドアトリム１０ａの裏側へ引き上げられる。
【００２３】
〔実施形態２〕  図５及び図６は本発明の他の実施形態を示す。図５及び図６において、図１〜図４と同一部分又は対応する部分には同一の符号を付してある。このスライドドア用給電装置は、フラットケーブル２２ＢのＵターン部２２ｕを収容するＵターンボックス２４を、スライドレール１４の上にスライドレール１４と一体に設けたものである。スライダ１６は、スライドレール１４の前面で立ち上がり、その上端がＵターンボックス２４内に位置するように形成されている。フラットケーブル２２Ａは、スライダ１６内で折り曲げられて方向を転換し、Ｕターンボックス２４内のフラットケーブル２２Ｂと無接続でつながっている。このようにＵターンボックス２４をスライドレール１４の上に設けると、スライドレール１４の厚さを薄くできるため、ドアトリム１０ａの裏側に、可撓管１８の引き込みスペースを確保しやすくなる。上記以外の構成及び動作は実施形態１と同様であるので、説明を省略する。
【図面の簡単な説明】
【００２４】
【図１】本発明に係るスライドドア用給電装置の一実施形態を示す斜視図。
【図２】（Ａ）は図１の装置のスライドドアが閉じたときの状態を示す断面図、（Ｂ）は同じく開いたときの状態を示す断面図。
【図３】図１の装置のスライドレール、スライダ、可撓管及びフラットケーブルの組立状態を示す斜視図。
【図４】（Ａ）は図１の装置のスライドドアが閉じたときのＵターンボックス内を示す断面図、（Ｂ）はスライドドアが開いたときのＵターンボックス内を示す断面図。
【図５】本発明に係るスライドドア用給電装置の他の実施形態を示す、（Ａ）は要部の正面図、（Ｂ）は（Ａ）のＢ−Ｂ線断面図。
【図６】図５の装置のスライドドアが閉じたときの状態を示す断面図。
【符号の説明】
【００２５】
１０：スライドドア
１０ａ：ドアトリム
１２：車体
１４：スライドレール
１６：スライダ
１８：可撓管
２０：固定支持部材
２２Ａ、２２Ｂ：フラットケーブル
２２ｕ：Ｕターン部
２３：ステップ
２４：Ｕターンボックス
２６、２８：コネクタ
【図１】
2005238952.tif 000003
【図２】
2005238952.tif 000004
【図３】
2005238952.tif 000005
【図４】
2005238952.tif 000006
【図５】
2005238952.tif 000007
【図６】
2005238952.tif 000008